(57)【要約】本発明は、一端においてラケット・ヘッド３に接続されるように意図されたラケット・シャフト１に関する。ラケット・シャフト１は、グリップ部分１３を備えている。ラケット・シャフト１は、シャフト１に着脱自在に装着されたノブ１１をその他端に有する。ノブ１１はノブ１１が取り付けられるラケット・シャフト１の一部分の直径Ｄよりも大きい横断寸法Ｔを有している。本発明はまた、本発明に基づくラケット・シャフトを設けられたラケットに関する。本発明の重要な点は、グリップ部分１３が膨出部５、７を設けられ、グリップ部分がラケット・シャフト１の心材１２に装着された交換可能部品の形状をしており、装着位置におけるノブ１１が心材１２の自由端に当接しかつグリップ部分１３のストッパを構成することである。
2006510395.tif 000002
【特許請求の範囲】
【請求項１】
一端においてラケット・ヘッド（３）に接続されるように意図されたラケット・シャフト（１）であって、ラケット・シャフト（１）はグリップ部分（１３）を備え、ラケット・シャフト（１）はラケット・シャフト（１）に着脱自在に装着されたノブ（１１）を他端に有し、ノブ（１１）はノブ（１１）が取り付けられるラケット・シャフト（１）の一部分の直径（Ｄ）よりも大きい横断寸法（Ｔ）を有し、
グリップ部分（１３）は膨出部（５、７）を設けられ、グリップ部分（１３）は、ラケット・シャフト（１）の心材（１２）に装着された交換可能部品の形状をしており、装着位置におけるノブ（１１）が心材（１２）の自由端に当接しかつグリップ部分（１３）のストッパを構成することを特徴としたラケット・シャフト（１）。
【請求項２】
ノブ（１１）は部分的に球体であることを特徴とした請求項１に記載のラケット・シャフト（１）。
【請求項３】
ノブ（１１）は外ネジ部分（１４）を有し、心材（１２）は内ネジ穴（１６）を有し、外ネジ部分（１４）が内ネジ穴（１６）に受けられるように意図されていることを特徴とした請求項１または２に記載のラケット・シャフト（１）。
【請求項４】
心材（１２）は非円形外形断面を有し、グリップ部分（１３）の内穴（８）が対応した非円形断面を有していることを特徴とした請求項１−３の任意の一項に記載のラケット・シャフト（１）。
【請求項５】
前記断面形状は八角形であることを特徴とした請求項４に記載のラケット・シャフト（１）。
【請求項６】
ラケット・シャフト（１）およびラケット・ヘッド（３）を備えたラケットであって、ラケット・シャフト（１）はグリップ部分（１３）を備え、ラケット・シャフト（１）はラケット・ヘッド（３）から離れた対向端にノブ（１１）を有し、ノブ（１１）はラケット・シャフト（１）に着脱自在に装着され、ノブ（１１）はそれが取り付けられるラケット・シャフト（１）の一部分の直径（Ｄ）よりも大きい横断寸法（Ｔ）を有し、
グリップ部分（１３）は膨出部（５、７）を設けられ、グリップ部分（１３）はラケット・シャフト（１）の心材（１２）に装着された交換可能部品として設計され、装着位置におけるノブ（１１）がラケット・シャフト（１）の端部に当接しかつグリップ部分（１３）のストッパを構成することを特徴としたラケット。
【請求項７】
ノブ（１１）は部分的に球体であることを特徴とした請求項６に記載のラケット。
【請求項８】
ノブ（１１）は外ネジ部分（１４）を有し、心材（１２）は内ネジ穴（１６）を有し、外ネジ部分（１４）が内ネジ穴（１６）に受けられるように意図されていることを特徴とした請求項６または７に記載のラケット。
【請求項９】
心材（１２）は非円形外形断面を有し、グリップ部分（１３）の内穴（８）が対応した非円形断面を有していることを特徴とした請求項６−８の任意の一項に記載のラケット。
【請求項１０】
前記断面形状は八角形であることを特徴とした請求項９に記載のラケット。
【発明の詳細な説明】
【技術分野】
【０００１】
本発明は、一端においてラケット・ヘッドに接続されるように意図されたラケット・シャフトに関する。ラケット・シャフトはグリップ部分を備えている。ラケット・シャフトはそのシャフトに着脱自在に装着されたノブを他端に有する。ノブはそのノブが取り付けられるラケット・シャフトの一部分の直径よりも大きい横断寸法を有している。本発明はまた、本発明に基づくラケット・シャフトを設けたラケットに関する。
【背景技術】
【０００２】
ＥＰ０８９８９８８Ａ２（特許文献１）から、ラケット・シャフトは従来から公知である。そのラケット・シャフトは、その心材に着脱される交換可能グリップ部分を有している。グリップ部分を心材に留めるために、ネジが、心材内で軸方向に固定された楔状ナットと協働させられる。
【０００３】
ＵＳ−Ａ−５，６０５，３２７（特許文献２）から、ラケット・シャフトは従来から公知である。そのラケット・シャフトは、その自由端に押し込められる突合せキャップを自由端に有している。突合せキャップは、金属弾丸または金属円板の形状のバラストが供給される内部空間を規定する。
【０００４】
ＵＳ−Ａ−２５９，４４８（特許文献３）およびＵＳ−Ａ−４，８２８，２６１（特許文献４）の各々から、ラケット・シャフトの周りに延びる２つの凹所を設けたラケット・シャフトが従来から公知である。その凹所は、シャフトの長手方向において互いから距離を置いて配置される。凹所と隣接部分間の移行部分は丸められている。
【０００５】
【特許文献１】ヨーロッパ特許第０８９８９８８号明細書
【特許文献２】米国特許第５，６０５，３２７号明細書
【特許文献３】米国特許第２５９，４４８号明細書
【特許文献４】米国特許第４，８２８，２６１号明細書
【発明の開示】
【発明が解決しようとする課題】
【０００６】
本発明の主な目的は、プレーヤーに良好な握り、制御、支持、平衡を与えるために一般に人間工学的に設計されたラケット・シャフト／ラケットを提供することにある。
【０００７】
本発明の別の目的は、ラケット・シャフトの特定部分を交換可能にすることにある。
【０００８】
本発明の別の目的は、ラケット・シャフトの改良された平衡を与えることにある。
【課題を解決するための手段】
【０００９】
本発明の少なくとも主な目的は、添付特許請求の範囲における独立請求項の特徴部分を与えられたラケット・シャフト／ラケットによって実現される。
【発明を実施するための最良の形態】
【００１０】
本発明に基づくラケットは、図１に示すように、ラケット・シャフト１およびラケット・ヘッド３を備えている。現存する力がラケット・ヘッド３とラケット・シャフト１との間で伝達されるように、ラケット・シャフト１およびラケット・ヘッド３は互いに固く接続される。一般に、本発明に基づくラケット・シャフト１は、新規かつ革新的設計を有する。他方、ラケット・ヘッド３は従来設計である。
【００１１】
図１および図２に基づく平面図に示すように、ラケット・シャフト１は、第１厚肉部分または第１膨出部５と、第２厚肉部分または第２膨出部７とを有する。第１膨出部５と第２膨出部７との間に、中間部９が設けられる。丸い移行部分が膨出部５、７と中間部９との間に与えられる。
【００１２】
両膨出部５、７は、ラケット・シャフト１の長手方向に丸い波形状を有する。両膨出部５、７と中間部９は、図１および図２において斜線で表された外部グリップ包装材を好ましくは設けられる。この被覆１０は、それが摩耗したときに交換される。
【００１３】
ラケット・シャフト１の２つの膨出部５、７は、手の解剖学的握り形状への順応をもたらす。手は、受け負（凹）握り形状を有する。快適な握り厚みが達成されるまで、手が適切なサイズの土または粘度を握りかつそれを締め付けたとき、その結果は、ラケット・シャフト１の膨出部５、７に対応する形状を有する延長本体となる。ラケット・シャフト１が２つの膨出部５、７を設けられている理由は、多くのプレーヤーによって、好ましくはバックハンドに関連して、実行される２本の手の握りに対してラケット・シャフト１を適応させているからである。ラケット・シャフト１の長手方向における２つの膨出部５、７間の距離は、ラケット・シャフト１を握るプレーヤーの手のサイズに基づいてもちろん変わってもよい。
【００１４】
本発明に基づくラケット・シャフト１の断面が図３に示され、また、心材１２が面取り隅部を持ったほぼ方形形状を有していることが明らかである。心材１２の外面にグリップ部分１３が設けられ、その外側面のグリップ部分１３は膨出部５、７と中間部９とを有する。内部には、グリップ部分１３は好ましくは剛性プラスチックの層８を設けられ、また、この層８の断面は心材１２に適合され、すなわち、層８がグリップ部分１３の内部穴を規定する。グリップ部分１３の残部、すなわち膨出部５、７と中間部９とを有する部分は、シリコンゴムまたは発泡ゴムから好ましくはつくられる。これは、もちろん、例示のみであって、使用者はもちろん個々の適用の最適化を達成するためにグリップ部分の材料を選択してもよい。
【００１５】
ラケット・シャフト１の下端において、図１および図２に示すように、ノブ１１が取り付けられる。ノブ１１は隣接第２膨出部７から離れて対向する一部球形を有する。
【００１６】
ラケット・ヘッド３から離れて対向するラケット・シャフト１の一端において、ノブ１１が取り付けられる。ノブ１１は、ノブ１１が隣接するラケット・シャフト１の一端の直径Ｄよりも実質的に大きい最大横断寸法Ｔを一般に有する。好ましくは、ＴとＤとの関係は、１．５Ｄ＜Ｔ＜２Ｄである。
【００１７】
図４および図５において、本発明に基づくラケット・シャフト１の好適構造設計が詳細に示されている。図４は、本発明に基づくラケット・シャフト１の開示実施例を構成する主構成部品を示す。このようにして、ラケット・シャフト１は、例えば、アルミニューム、プラスチック、ケブラー（ｋｅｖｌａｒ）、または黒鉛から製造された心材１２を備えている。製造上の理由のために、心材１２およびラケット・ヘッド３は同じ材料からつくられることが好ましい。心材がアルミニュームから製造される場合には、それは通常中空である。現存する力がラケット・ヘッド３と心材１２との間に伝達されるように、心材１２はラケット・ヘッド３に固く接続される。ラケット・シャフト１は、２つの膨出部５、７および中間部９を設けられたグリップ部分１３を備えている。好ましくは、心材１２は外部が非円形外断面形状を有し、また、グリップ部分１３は対応する非円形断面形状をした内部貫通穴８を有する。したがって、その理由は、グリップ部分１３が心材１２に関して回転することを避けるためである。好ましくは、断面形状は八角形である。
【００１８】
ラケット・シャフト１は、外ネジ部分１４と着脱自在キャップ１５とを設けられたノブ１１を備えている。着脱自在キャップ１５は、外ネジ部分１４に関してノブ１１の直径方向反対側に配置される。キャップ１５は、ネジ結合によってノブ１１の残部に接続され、ノブ１１の残部は中空である（図５参照）。
【００１９】
図５において、図４に基づく構成部品が本発明に基づくラケット・シャフト１をつくるためにいかに組み立てられるかを示す。グリップ部分１３は心材１２に押し込められ、心材１２の自由端に装着される。ノブ１１の着脱自在装着は、外ネジ部分１４を心材１２の内ネジ穴１６と協働するようにさせることによって、行われる。ノブ１１の適切な締付けは、心材１２の自由端へのノブ１１の適正固定を行う。
【００２０】
図５から明らかなように、中空ノブ１１は、本発明に基づくラケットの重量配分に影響を及ぼす可能性を与える鉛ペレット１７で充填される。
【００２１】
構成部品のいくつかをラケット・シャフト１に含ませ、心材１２に着脱自在に装着させることによって、異なるサイズの構成部品、すなわちグリップ部分１３およびノブ１１が心材１２に装着されてもよい可能性が提示される。グリップ部分１３の異なるサイズに関して、それは基本的には膨出部５、７の異なる最大直径および膨出部５、７間の相互距離の問題である。ノブ１１に関して、異なるサイズは通常は異なる横断寸法Ｔを意味する。
【００２２】
特に、グリップ部分１３に関して、着脱の可能性は、異なる材料からつくられたグリップ部分１３が使用されてもよいことを意味する。これは、さらに個々の適用に対する可能性を強調する。グリップ部分１３の異なる材料に関して、軟質シリコン状ゴム、より剛性な発泡ゴム、または異なるプラスチックの組合せが例示かつ非限定目的で挙げられてもよい。グリップ部分１３に用いられる材料が固有振動減衰を行い、または振動減衰埋込物が心材１２とグリップ部分１３との間に局部的に取り付けられることも可能である。
【００２３】
グリップ部分１３は、異なる表面パターン、例えば、溝、突起、凹陥穴、波状凹凸を有していてもよい。それと共に、材料の適正な選択および適正な表面パターンは、現存する汗の適正な吸収ばかりではなく、手との緊密な接触を与える。材料および表面パターンは、手の冷却、および手の過剰発汗の自然乾燥をもたらす。
【００２４】
これに関連して、特定の状況においては、グリップ部分１３のグリップ包装材１０が削除されることが可能であること、また、グリップ部分１３が摩耗したとき全体のグリップ部分１３が交換されることが可能であることに注目されたい。
【００２５】
図４から明らかなように、グリップ部分１３およびノブ１１の両者は、心材１２に着脱自在に取り付けられる。この構造設計は、個々のプレーヤーが各自のラケットを注文する独特の可能性を提示する。すなわち、プレーヤーは寸法、材料選択、表面構造に関して個々に適用されるグリップ部分１３を選択できる。またノブ１１に関しても、プレーヤーは適切な寸法を選択してもよく、また、ノブ１１の中空性を通じて中空ノブ１１内の鉛ペレット１７の充填程度をかいして本発明に基づくラケットの重量配分に影響を及ぼしてもよい。
【００２６】
心材１２の自由端に取り付けられたノブ１１は、手がラケット・シャフト１の自由端において個別の支持を与えられることをもたらす。これは、ラケットの滑落の自然防止をもたらす。すなわち、ラケットが手から滑り落ちることは基本的には起こらない。さらに加えて、ノブ１１はラケット・シャフト１とプレーヤーの手との間の接触面を増加する。
【００２７】
ノブ１１は、本発明に基づくラケットを使用したとき、他の機能的利点をもたらす。テニスにおいては、プレーヤーが自身の動きに大きな範囲を持ちかつ相手コートに関して高い衝撃点を持つことが個別に有利である。これは、サーブに関連して特に重要である。それによって、グリップがノブ１１に対して十分にまたは部分的に配置されるので、従来のラケット・シャフトに比べてノブ１１はラケット・シャフト１の長さをいくぶん増加している。これは、サーブに関連して、およびボールをサイドライン近くに戻すときに特に重要である。
【００２８】
プレーヤーが自身のグリップをノブ１１上に十分にまたは部分的に持つとき、手および手首がラケット・シャフト１に関してさらに容易に回転する。これは、プレーヤーが個々のトップスピンでボールを打つことを望むとき、明らかな利点である。サーブに関連して、サーブの最終段階中に手がノブ１１に関して部分的に回転するので、強く、さらに平らなサーブが従来のグリップに比べて達成される。
【００２９】
［発明の実現可能な変更］
上述した実施例においては、グリップ部分１３および心材１２の内部貫通穴が互いに対応した断面を有していることが述べられた。しかし、本発明の範囲内で、グリップ部分１３が心材１２に装着されるとき、グリップ部分１３の内部貫通穴が心材１２の外形に適合するような可撓性材料からグリップ部分１３が設計されることも実現可能である。これはグリップ部分１３を心材１２に押し込むことによって好ましくなされる。また、この場合、グリップ部分１３が心材１２に関して回転することが回避される。
【００３０】
上述した実施例においては、ラケット・シャフト１は多数の交換可能構成部品からなっている。しかし、本発明の範囲内でラケット・シャフトは交換可能構成部品を設けられず、ラケット・シャフトの構成部品は恒久的に互いに接続されることも実現可能である。
【産業上の利用可能性】
【００３１】
本発明は、テニス・ラケットについて主に提案された。しかし、本発明の原理は他のスポーツのラケットに関連して適用されてもよい。例示としてかつ非制限目的において、スカッシュおよびバドミントンが挙げられる。もちろん、本発明に基づくラケット／ラケット・シャフトを製造するさいに、問題のスポーツに特定の適用が通常はある。
【図面の簡単な説明】
【００３２】
【図１】本発明に基づくラケットの平面図である。
【図２】図１に基づくラケットのラケット・シャフトの詳細を示す。
【図３】図２のIII−III線にそった断面を示す。
【図４】図２に基づくラケット・シャフトの分解図を示し、ラケット・シャフトが多数の交換可能部品から構成されている。
【図５】組立状態にある図４の部品を示し、多数の断面が平明を増すために取られている。
【符号の説明】
【００３３】
１    ラケット・シャフト
３    ラケット・ヘッド
５    第１膨出部
７    第２膨出部
８    内部貫通穴
９    中間部
１０    グリップ包装材
１１    ノブ
１２    心材
１３    グリップ部分
１４    外ネジ部分
１５    着脱自在キャップ
１６    内ネジ穴
１７    鉛ペレット
Ｄ    直径
Ｔ    最大横断寸法
【図１】
2006510395.tif 000003
【図２】
2006510395.tif 000004
【図３】
2006510395.tif 000005
【図４】
2006510395.tif 000006
【図５】
2006510395.tif 000007
【国際調査報告】
2006510395.tif 000008
2006510395.tif 000009